(57)【要約】【課題】庭や屋上などの地上部に、簡単にビオトープ観察池を設置することができ、子供たちが水辺の植物やメダカなどの生き物を、容易に観察・管理ができるビオトープ観察池を提供する。【解決手段】ほぼ平坦な地上部に着脱可能な四辺形の外枠を形成し、該外枠と地上部とによって形成された内側に水密の遮水シートを敷設して池部とし、該池部の一対の内側面に隣接して植生ヤシロールなどの植植栽繊維不織ロールを配置したビオトープ観察池であり、植植栽繊維不織ロールの所定の周面にはコンクリートブロックを固着し、池部には水性植物をを植えたプランターを配置し、外枠の一部には水位調整用可変式ドレーンパイプを設置したビオトープ観察池である。【選択図】図６
2004089139.tif 000002
【特許請求の範囲】
【請求項１】
ほぼ平坦な地上部に着脱可能な四辺形の外枠を形成し、該外枠と地上部とによって形成された内側に水密の遮水シートを敷設して池部とし、該池部の一対の内側面に隣接して植栽繊維不織ロールを配置したことを特徴とするビオトープ観察池。
【請求項２】
前記植栽繊維不織ロールの所定の周面にはコンクリートブロックを固着したことを特徴とする請求項１に記載のビオトープ観察池。
【請求項３】
前記池部には水性植物を植えたプランターを配置し、外枠の一部には水位調整用可変式ドレーンパイプを設置したことを特徴とする請求項１又は請求項２に記載のビオトープ観察池
【発明の詳細な説明】
【０００１】
【発明の属する技術分野】
本発明は、学校の校庭や公共施設の屋上などの地上部に設置し、子供たちが植物やメダカなどの生き物を観察するなかで、水質、植物、生き物のかかわりあいを理解し、環境問題にも関心がもてる簡易に組み立て可能なビオトープ観察池の技術分野に属する。
【０００２】
【従来の技術】
近年、治水利水を優先した河川工事により川の流れが速く、害虫駆除を目的とした農薬散布などで、メダカなど水辺の小動物が生息できない環境になっており、この環境問題が重要な課題とされている。平成１４年度４月より、文部科学省は総合学習、体験学習を教育カリキュラムに取り入れ、子供たちが、自ら学び、判断し、問題を解決する資質と能力を付けることに着目し、この環境問題を体験学習に取り入れる学校が増えてきている。
このため、多様な生物を生息させるビオトープ（動植物の生息空間）としてビオトープ水路や池が作られており、河川の護岸の環境回復方法として、本出願人らによって特開平９−３１３８３３号公報、特開２０００−２７９６７５号公報に示されように、水質浄化や緑化のための繊維不織ブロックが提案されている。
また、従来のビオトープ水路や池をつくるには、地面に穴を掘削し、遮水シートを張り、荒木田土をのせ、水辺の植物を植栽して形成される。
【０００３】
【発明が解決しようとする課題】
しかしながら、従来の工法でつくられた水路や池は、つくる作業にかかる手間と費用がかかるため、あまり普及しておらず、また、春から夏にかけて水辺の植物が繁茂し水面を覆うため、水面が光らず、トンボが飛来してタマゴを生むことができないという問題点があった。
また、繁茂した植物を間引きするにしても、根が伸長して抜くことができず観察できないという問題点があり、更に、地上部より下に水位があり手が届きにくく、水を取り替えるにも大変な作業で管理が困難であるという問題点があった。
本発明は、上記の問題点に鑑みてなされたもので、その課題は、学校の校庭や公共施設の屋上などの地上部に、簡単にビオトープ観察池を設置することができ、子供たちが水辺の植物やメダカなどの生き物を、容易に観察・管理ができ、水質、植物、生き物のかかわりあいを理解し、環境問題にも関心がもてるビオトープ観察池を提供しようとするものである。
【０００４】
【課題解決の手段】
上記の課題を解決するために、請求項１の発明は、ほぼ平坦な地上部に着脱可能な四辺形の外枠を形成し、該外枠と地上部とによって形成された内側に水密の遮水シートを敷設して池部とし、該池部の一対の内側面に隣接して植栽繊維不織ロールを配置したことを特徴とするビオトープ観察池である。
そして、外枠の一対の内側面に隣接して植生ヤシロールなどの植栽繊維不織ロールを配置したことにより、絶滅危惧種に指定されたメダカの棲む環境に近づけ、メダカの生育が良好なビオトープ観察としたものである。
請求項２の発明は、前記植栽繊維不織ロールの所定の周面にはコンクリートブロックを固着したことを特徴とする請求項１に記載のビオトープ観察池である。
請求項３の発明は、前記池部には水性植物を植えたプランターを配置し、外枠の一部には水位調整用可変式ドレーンパイプを設置したことを特徴とする請求項１又は請求項２に記載のビオトープ観察池である。
【０００５】
【発明の実施の形態】
本発明の好適な実施例を、図面に沿って説明する。
本実施例のビオトープ観察の全体は図１に示すようなものであるが、プラスチック製の四枚の池部Ｂの側面を構成する枠体１１，１２，１３，１４（高さ４０ｃｍ×長さ２００ｃｍ×厚さ１０ｃｍ）を用い、例えば、図２、図３に示すように、その枠体１１，１２の互いに嵌合端部１１１、１２１を嵌合させ、それぞれに設けた嵌合孔１１２，１２２にロック棒１５を差し込んで固定し、正方形の外枠１を、ほぼ平坦な校庭や屋上の地上部Ａに形成する。
外枠１と地上部Ａとによって池部Ｂの大枠が形成されると、次に、図４に示すように、池部Ｂの内側に遮水シート２を敷設するが、遮水シート２は水密で丈夫である必要があり、本実施例では、厚さ１ｍｍ　軟質塩化ビニール製のシートを用いた。　そして、遮水シート２の上端部２１は側面を形成する枠体１１，１２，１３，１４の上端近傍にプレート２２とネジ２３とによって固着し、側面枠体１１〜１４の適所にドレーンパイプ１６を装着すれば、着脱可能で簡易に組み立てることができるビオトープ観察池の池部Ｂ本体が完成する。
なお、地上部Ａが平坦ではなく、凸凹が有る場合には、予め地上部Ａに厚めのマットを敷くつめておいて、その上に池部Ｂを形成すればよい。
本実施例では、枠体１１，１２，１３，１４の高さ４０ｃｍとしたが、高さは、２５〜４５ｃｍがよく、より好ましくは、３０〜４０ｃｍがよい。これは、２０ｃｍ以下にするとそれ以上の水位にはできないことから、夏場に水温が高温（３５℃以上）になり、メダカ等の水中生物がへい死することが多くなり、４５ｃｍ以上になると、水を入れた場合の重量が４５０Ｋｇ／ｍ２以上になり、屋上に設置した場合に、建築構造物に負荷がかかるからである。
なお、本実施例では、枠体１１，１２，１３，１４の材質をプラスチック製としたが、間伐材を用いた木製を用いる事もでき、この場合は棄材の活用ができ、且つ、ぬくもりのある外枠とすることができる。
【０００６】
池部Ｂの一対の内側面の近傍には、図１における両端の外枠１２，１４に隣接して、図５に示すような上側に千鳥足状に配置した植栽孔３１を有する植栽繊維不織ロール３をを配設するが、本実施例では植栽繊維不織ロールとして後で詳細に説明する植生ヤシロール３を使用した。
この植生ヤシロール３の配設に際しては、図５（ａ）に示すように、底部に遮水シート２を傷つけないように植生ヤシロール３と同じ巾の保護マット４を敷き、保護マット４の上に大きさが１２ｃｍ×２５ｃｍ×８ｃｍで３ケ所に穴５２が設けられたコンクリートブロック５を植生ヤシロール３の両端と中央部の３個づつ設置し、その上に大きさがφ３０ｃｍ×長さ１７５ｃｍの植生ヤシロール３を載せて、これらをφ４ｍｍのヤシロープ３２で結束して固定する。
コンクリートブロック５の固定に際しては、植生ヤシロール３を池部Ｂに配置した際に、千鳥足状に配置した植栽孔３１が上側になるように固定する必要があり、植栽孔３１の反対側の一つの水平周面に添って、３個のコンクリートブロック５を固定すればよい。
これらのコンクリートブロック５は、ヤシロール３を固定する錘になり、穴５１は魚の巣の役割をする。
【０００７】
植生ヤシロール３は、限られたスペースしかない池部１に、効率よく植物を植栽する基盤材とになり、水辺の植物が、水中の栄養分を吸収し、水質浄化に役立ち、メダカの産卵場や隠れ家になる。植生ヤシロール３の製法は特開２０００−２７９６７５号公報に示され植栽繊維不織ロールの製法を改良したもので、天然ヤシ繊維をシート状にし丸巻にしてつくられる。
ここで、天然ヤシ繊維は、数時間水に漬けると、リグニンを主体とした茶色の溶出物が溶出し、水質の透明度が下がったり、植物の生育を阻害するため、事前に水や低濃度カセイソーダに漬け水洗いしたものや、トリコデルマ菌等を用いて、脱色したものを用いると良い。
また、植物の植栽を容易にし、植物の活着を向上させるために、図５（ｂ）の断面図に示すように、植栽孔３１の大きさはφ１０ｃｍ×深さ１５ｃｍで２０ｃｍの間隔で千鳥足状に設け、植栽方法としては、ポット苗のポット部分を植栽孔３１に挿入すればよい。
植生ヤシロール３の密度は、５０〜１８０Ｋｇ／ｍ３　がよく、より好ましくは、８０〜１５０Ｋｇ／ｍ３　程度がよい。その理由は、５０Ｋｇ／ｍ３　以下では、植生ヤシロール３の形状を保てなくなり、２００Ｋｇ／ｍ３以上の植生ヤシロール３ではビオトープ観察池に植えても、植物には硬すぎて根が伸長できないからである。
また、繁茂した植物を間引く手間も簡単で、剪定の簡単にでき、場合によっては植栽孔３１から簡単に引き抜ける。
なお、植生ヤシロール３は、最終的には生物分解される材質で環境にやさしいものであり、ビオトープ観察池を破棄する際には簡易に処理できる。
【０００８】
ビオトープ観察池として、実際に使用する例を図６に示して説明する。
植生ヤシロール３に植栽孔３１等に植栽する植物Ｃは、草丈の高く日陰をつくるショウブ、ミソバキ、ガマ、ヨシなどがあり、これは外側の植栽孔３１１に植ればよく、また、ロールを被覆し水中に伸びるクレソン、セリ、リシマキアなども良く、これらは、水際の植栽孔３１２に植えればよく、特に、クレソン、セリは、メダカの産卵場になり、孵化した子メダカの隠れ家になるので好ましい。
池部Ｂの底には、多孔質である溶岩６や軽石７、更には川砂、玉砂利のを敷設することで、微生物のすみかをつくるが、この微生物は水質浄化等に役立つからである。
【０００９】
また、図７に示すように、本実施例では、大きさが縦３０×横３０×高さ３０ｃｍ程度のプランター（鉢）８に、あぜ土や荒木田土などの土を入れ、スイレン、フサモ、ヨシ、ミソハギ、ショウブ等を植栽したものを池の底に設置しているが、プランター８を用いることにより、プランターより外に植物が繁茂することが抑えられ、池部Ｂから外に出して剪定等の管理もでき、ビオトープ観察池の維持管理が容易になる。
このプランター８に植える植物としてのスイレンは、夏場の水温上昇を抑制するという作用があり、また、成長がはやいホテイアオイを浮かべると日陰や産卵場にもなるという作用がある。
そして、プランター８より外に植物が繁茂することが抑えられるから、春から夏にかけて水辺の植物が繁茂し水面を覆うことは防げ、水面が光ってトンボが飛来しタマゴを生むことが多くなり、繁茂した植物を間引きする手間も、プランター８を外に出して簡単に剪定管理もでき、場合によってはプランターを入れ替えも容易である。
【００１０】
図８に示すように、水位調整用の可変ドレーンパイプ１６は、材質が塩化ビール、ポリエチレン製で、形状は、φ１〜２ｃｍのＬ型のパイプで、Ｌ型パイプの先端部分１６１が５〜１０ｃｍ程度であり、本実施例では枠体（１１〜１４）において、高さ３０ｃｍのところのパイプ取付穴１６２に回動自在に取り付けてある。このドレーンパイプ１６は回動して図８（ａ）の状態では、可変ドレーンパイプ１６の取り付け位置までが水位（Ｌｏｗ．Ｗ．Ｌ）となり、図８（ａ）の状態ではＬ型の先端部分１６１の上端が水位（Ｈｉｇｈ．Ｗ．Ｌ）となり、Ｌ型の角度を変え先端部分１６１の上端の位置を変えることで、ビオトープ観察池の水位を３０〜４０ｃｍに可変させることができる。このように、水位を可変させることにより、植生ヤシロールに植栽する植物であるクレソンを早期に被覆させることができ、クレソンを食べる青虫、アブラムシ等を駆除することもできる。
【００１１】
以上のようなビオトープ観察池において、植栽後に池部Ｂに水を入れ、７〜１０日後放置する。水のカルキが抜け、ボウフラが発生する状況になり、メダカを放流すると、特にエサを与える必要はない。エサを与え過ぎると、メダカは藻を食べなくなり、食べ残したエサや糞尿を栄養源として藻が発生したり水質が悪くなるので好ましくない。
また、雨水があたる場所に設置すれば、特に、水中ポンプ等で酸素を供給する必要もない。
【００１２】
ここで、実際に高さ４０ｃｍ×長さ２００ｃｍ×厚さ１０ｃｍのプラスチック製の四枚の外枠を作り、その内側に厚さ１ｍｍの軟質塩化ビニール製の遮水シートを敷設し池部Ｂを作り、植栽繊維不織ロールとしてのφ３０ｃｍ×長さ１７５ｃｍをφ４ｍｍの植生ヤシロール３の一対をコンクリートブロック５（１２×２５×８ｃｍ　３ケ穴付）を３個をヤシロープ３２で池部Ｂの両端に固定配設し、植生ヤシロール３の構成と水位を変えて、クレソンを植栽し、メダカを１００尾放流後、水温（平成１４年８月１４日（晴天時））に、クレソンの生育状況、メダカの生死を評価した。
（１）実施例１　水深３０ｃｍとし、水洗いしたヤシ繊維の密度が１００ｋｇ／ｍ３になる様に丸巻にした植生ヤシロールを配置した。
（２）実施例２　ロール上面が水没する様に水深３５ｃｍとし、実施例１と同様に水洗いし、同様の密度の植生ヤシロールを配置した。
（３）実施例３　ロール上面が水没する様に水深３５ｃｍとし、水洗いしていないヤシ繊維の密度が１００ｋｇ／ｍ３になる様に丸巻にした植生ヤシロールを配置した。
（４）比較例１　水深３０ｃｍとし、水洗いしたヤシ繊維の密度が２００ｋｇ／ｍ３になる様に丸巻にした植生ヤシロールを配置した。
（５）比較例２　水深３０ｃｍとし、水洗いしたヤシ繊維の密度が２００ｋｇ／ｍ３になる様に丸巻にした植生ヤシロールを配置した。
【００１３】
以上の実施例１〜３、比較例１、２について実験した結果が、図９の表１である。
表１より、比較例１および２の植栽繊維不織ロールにおいて、ヤシ繊維の密度が２００ｋｇ／ｍ３の植生ヤシロール３ではクレソンの生育が水位に関係なく不良であることが判り、したがってメダカの死滅して生育できないことが判る。
また、ヤシ繊維の密度が１００ｋｇ／ｍ３の実施例１、２、３においても、クレソンの生育は、実施例１の水深３０ｃｍでは不良であり、実施例３のロール３上面が水没する様に水深３５ｃｍとしたものの、水洗いしていないヤシ繊維では小さな葉の貧弱なものであった。
したがって、実施例１〜３においても、実施例２のロール上面が水没する様に水深３５ｃｍとし、水洗いしたヤシ繊維の密度が１００ｋｇ／ｍ３になる様に丸巻にした植生ヤシロールを配置することが最も望ましいことは判る。
【００１４】
以上のように、本実施例においては、学校の校庭や公共施設の屋上などの地上部Ａに、極めて簡単にビオトープ観察池Ｂを設置することができ、植生ヤシロール３を配置することで、草丈の高い日陰をつくるショウブ、ミソバキ、ガマ、ヨシや、植生ヤシロール自体をを被覆し水中に伸びるクレソン、セリ、リシマキアを生育させることができ、これらの植物がメダカの産卵場になり、孵化した子メダカの隠れ家にもなり、メダカ等の小水生動物の生育にも適するようになる。
また、一対の植生ヤシロール３を側面の外枠１に接するように設けたので、外枠１と植生ヤシロール３との間に形成された長細い狭い水溜りが、メダカ等の小水生動物の避難場所になり、これらの生育に適するようになる。
また、植生ヤシロール３に縛り付けたコンクリートブロック５は、ヤシロール３を固定する錘になり、穴５１は魚の巣の役割をする。
また、池部Ｂの底にはプランター８を用いることにより、プランター８より外にスイレン、フサモ、ヨシ、ミソハギ、ショウブ等の植物が繁茂することが抑えられ、池部Ｂから外に出して剪定等の管理もでき、ビオトープ観察池の維持管理が容易になる。
さらに、水位調整用の可変ドレーンパイプ１６を設けて水位を可変させることにより、植生ヤシロールに植栽する植物であるクレソンを生育を良好することができる。
なお、本発明の特徴を損なうものでなければ、各実施例の構成に限定するものでないことは勿論であり、池部Ｂの中央には噴水装置等を設けてもよい。
【００１５】
【発明の効果】
請求項１の発明によれば、一般家庭の庭や通常のビルの屋上、学校の校庭、公共施設の屋上などの地上部Ａに、極めて簡単にビオトープ観察池を設置することができ、植生ヤシロールなどの植栽繊維不織ロールを配置することで、草丈の高く日陰をつくる水辺の植物や、植生ヤシロール自体をを被覆し水中に伸びるクレンン、セリ、リシマキアを生育させることができ、これらの植物が小水生動物のメダカの産卵場になり、孵化した子メダカの隠れ家になり、これら小水生動物の生育にも適するようになるという効果がえられる。
また、一対の植栽繊維不織ロールを池部の側面の外枠に接するように設けたので、外枠１と植生ヤシロールなどの植栽繊維不織ロールとの間に形成された長細い狭い水溜まりが、小水生動物の避難場所になり、これらの生育に適するようになるという効果が得られる。
請求項２の発明によれば、請求項１での効果に加えて、植栽繊維不織ロールを固定するためのコンクリートブロックは、植栽繊維不織ロールを固定する錘になりとともにコンクリートブロックの穴は魚の巣になるという効果が得られる。
請求項３の発明によれば、請求項１や請求項２での効果に加えて、池部の底にはプランターを用いることにより、プランターより外に植物が繁茂することが抑えられ、池部から外に出して剪定等の管理もでき、ビオトープ観察池の維持管理が容易になるという効果がえられる。
また、水位調整用の可変ドレーンパイプを設けて水位を可変させるから、クレソンなどの植物を生育を良好することができ、小水生動物の生息環境も向上させることができるとう効果が得られる。
このように、前記各発明は、極めて簡単にビオトープ観察池を設置することができことから、子供たちが水辺の植物やメダカなどの生き物を、容易に観察・管理ができ、水質、植物、生き物のかかわりあいを理解し、環境問題にも関心をもつことが期待できるものであり、このビオトープ観察池が、一般家庭の庭や屋上、一般のビルの屋上等に広く普及すれば都会でのヒートアイランドの抑制にも貢献できるものである。
【図面の簡単な説明】
【図１】本発明の実施例の組み立て後のビオトープ観察池の全体の斜視図である。
【図２】図１における相互の枠体を嵌合させ状態を説明する斜視図である。
【図３】図２における相互の枠体を固定する状態を説明する斜視図である。
【図４】図１における遮水シートを固定する状態を説明する断面図である。
【図５】図５（ａ）は、本発明の実施例の植生ヤシロールと、保護マットと、コンクリートブロックの設置状態を説明する斜視図、図５（ｂ）は植生ヤシロールの横方向の断面図である。
【図６】本発明の実施例の水を入れた状態のビオトープ観察池の全体の断面図である。
【図７】図６における上からの平面図である。
【図８】水位調整用の可変ドレーンパイプの作動の説明する断面図で、図８（ａ）は可変ドレーンパイプの取り付け位置までが水位となった断面図、図８（ａ）はＬ型の先端部分の上端が水位となった断面図である。
【図９】本発明の実施例と比較例との実験結果を表にした表１の図である。
【符号の説明】
Ａ…庭等の地上部、Ｂ…池部、Ｃ…水辺の植物、Ｄ…水生植物
１…外枠、１１，１２，１３，１４…枠体、１１２，１２２…嵌合孔、１５…ロック棒、
１６…可変ドレーンパイプ、１６１…Ｌ型パイプの先端部、１６１…パイプ取付穴
２…遮水シート、２１…上端部、２２…プレート、２３…ネジ、
３…植生ヤシロール、３１，３１１，３１２…植栽孔、３２…ヤシロープ
４…保護マット、５…コンクリートブロック、５１…穴
６…多孔質溶岩、７…軽石、８…プランター
【図１】
2004089139.tif 000003
【図２】
2004089139.tif 000004
【図３】
2004089139.tif 000005
【図４】
2004089139.tif 000006
【図５】
2004089139.tif 000007
【図６】
2004089139.tif 000008
【図７】
2004089139.tif 000009
【図８】
2004089139.tif 000010
【図９】
2004089139.tif 000011